(57)【要約】      （修正有）【課題】道路照明灯の照明具をＬＥＤ照明具に取り替えることができる道路照明灯用口金分離型ＬＥＤ照明具を提供する。【解決手段】口金部材１１と、ＬＥＤ照明部材１２とを備え、前記口金部材１１が、道路照明灯のランプソケットに取り付け可能なねじ部１１ａと、ランプソケットに取り付けた時にランプソケットの端子１１ｂと、その内部に前記端子１１ｂに接続された第一コネクタ１１ｃを有し、複数のＬＥＤ１２ａと、電力を供給する電流駆動回路１２ｂと、前記電流駆動回路１２ｂに接続された第二コネクタ１２ｄとを備えたＬＥＤ照明本体部材１２ｃを備え、前記口金部材１１の開口から口金の内部に挿入して固定可能な連結部１２ｅを設け、前記第一コネクタ１１ｃ及び第二コネクタ１２ｄを接続後、前記ＬＥＤ照明部材１２の連結部１２ｅを前記口金部材１１に挿入してＬＥＤ照明部材１２を口金部材１１に固定できるように構成する。【選択図】図４
2011009064.tif 000002
【特許請求の範囲】
【請求項１】
水銀灯又はナトリウム灯等の照明具を取り付けるためのランプソケットを備えた既存の道路照明灯に取り付けて使用するＬＥＤ照明具であって、
口金部材と、ＬＥＤ照明部材とを備え、
前記口金部材が、前記道路照明灯のランプソケットに取り付け可能なねじ部と、ランプソケットに取り付けた時にランプソケットの端子と電気的に接続する端子とを有する一端が開口した有底筒状の形状であり、その内部に前記端子に接続された第一コネクタを有し、
前記ＬＥＤ照明部材が、複数のＬＥＤと、これらのＬＥＤに電力を供給する電流駆動回路と、前記電流駆動回路に接続された第二コネクタとを備えたＬＥＤ照明本体部材を備え、前記本体部材に、前記口金部材の開口から口金の内部に挿入して固定可能な連結部を設け、
前記口金部材をランプソケットに取り付けた後に、前記第一コネクタ及び第二コネクタを接続し、次いで、前記ＬＥＤ照明部材の連結部を前記口金部材に挿入してＬＥＤ照明部材を口金部材に固定できるように構成した
ことを特徴とする道路照明灯用口金分離型ＬＥＤ照明具。
【発明の詳細な説明】
【技術分野】
【０００１】
本発明は、水銀灯等を取り付けるように構成された既存の道路照明灯に用いることができる口金分離型ＬＥＤ照明具に関する。
【背景技術】
【０００２】
従来から、事故の防止を目的として、主要幹線道路や国道等の一般道路や高速道路には、主に車道と照らすことを目的とした道路照明灯が設定されている（特許文献１）。
道路照明灯の照明具としては、水銀灯、ナトリウム灯、蛍光灯等が用いられている。
【先行技術文献】
【特許文献】
【０００３】
【特許文献１】特開平９−６９３０６公報
【発明の概要】
【発明が解決しようとする課題】
【０００４】
上記した道路照明灯は、日没付近から翌朝の日の出時間までという長時間の点灯が必要になる。
また、照度も道路の規格、種類及び交通量等に応じて決められており、特に高速道路に設置する照明灯は大きな発光強度が求められる。
照明具にかかる消費電力は照明具の照度に比例して大きくなり、具体的には、例えば、一般道路では高さ８ｍの照明具から平均照度２０Ｌｕｘ以上が必要とされるため、約３００Ｗの水銀灯又はナトリウム灯を使用する必要がある。
従って、照明具を設置する間隔が３０ｍだとすると、１ｋｍの距離がある道路では両側で６６本の道路照明灯が設置されることになり、これらの道路照明灯で消費する電力は１９，８００Ｗになる。
上記したように、従来の道路照明灯は、消費電力が大きすぎるという問題がある。
また、従来の道路照明灯に用いられている水銀灯やナトリウム灯は寿命が短いため短期間での交換が必要になるという問題もある。
発明者は、上記した従来の問題点を解決し、従来の道路照明灯と同じだけの照度を確保しつつ、消費電力及び発熱が共に低く、さらに、長期間交換を行わなくてよい、地球温暖化対策にも適した道路照明灯を提供するために、鋭意研究を重ね、道路照明灯の照明具としてＬＥＤ照明具を使用することに着目をした。
しかし、従来の水銀灯やナトリウム灯専用に設計された道路照明灯をＬＥＤ照明具専用に設計された道路照明灯に取り替えるには、莫大な費用と時間がかかるという問題がある。
そこで、本発明は、従来から使用されていた道路照明灯の構造をそのまま使用することができ、費用や時間を最低限に抑えて、道路照明灯の照明具を水銀灯やナトリウム灯からＬＥＤ照明具に取り替えることができる道路照明灯用口金分離型ＬＥＤ照明具を提供することを目的としている。
【課題を解決するための手段】
【０００５】
上記した目的を達成するために、本発明に係る道路照明灯用口金分離型ＬＥＤ照明具は、水銀灯又はナトリウム灯等の照明具を取り付けるためのランプソケットを備えた既存の道路照明灯に取り付けて使用するＬＥＤ照明具であって、口金部材と、ＬＥＤ照明部材とを備え、前記口金部材が、前記道路照明灯のランプソケットに取り付け可能なねじ部と、ランプソケットに取り付けた時にランプソケットの端子と電気的に接続する端子とを有する一端が開口した有底筒状の形状であり、その内部に前記端子に接続された第一コネクタを有し、前記ＬＥＤ照明部材が、複数のＬＥＤと、これらのＬＥＤに電力を供給する電流駆動回路と、前記電流駆動回路に接続された第二コネクタとを備えたＬＥＤ照明本体部材を備え、前記本体部材に、前記口金部材の開口から口金の内部に挿入して固定可能な連結部を設け、前記口金部材をランプソケットに取り付けた後に、前記第一コネクタ及び第二コネクタを接続し、次いで、前記ＬＥＤ照明部材の連結部を前記口金部材に挿入してＬＥＤ照明部材を口金部材に固定できるように構成したことを特徴とするものである。
【発明の効果】
【０００６】
本発明に係る道路照明灯用口金分離型ＬＥＤ照明具は、水銀灯又はナトリウム灯等の照明具を取り付けるためのランプソケットを備えた既存の道路照明灯に取り付けて使用するＬＥＤ照明具であって、口金部材と、ＬＥＤ照明部材とを備え、前記口金部材が、前記道路照明灯のランプソケットに取り付け可能なねじ部と、ランプソケットに取り付けた時にランプソケットの端子と電気的に接続する端子とを有する一端が開口した有底筒状の形状であり、その内部に前記端子に接続された第一コネクタを有し、前記ＬＥＤ照明部材が、複数のＬＥＤと、これらのＬＥＤに電力を供給する電流駆動回路と、前記電流駆動回路に接続された第二コネクタとを備えたＬＥＤ照明本体部材を備え、前記本体部材に、前記口金部材の開口から口金の内部に挿入して固定可能な連結部を設け、前記口金部材をランプソケットに取り付けた後に、前記第一コネクタ及び第二コネクタを接続し、次いで、前記ＬＥＤ照明部材の連結部を前記口金部材に挿入してＬＥＤ照明部材を口金部材に固定できるように構成されているので、ＬＥＤ照明具の形状が異形であっても、ランプカバーの形状や大きさに関係なく、既存の道路照明灯に取り付けることが可能になるという効果を奏する。
その結果、既存の道路照明灯の水銀灯等の交換時に、照明具を本発明に係るＬＥＤ照明具に取り替えることができるようになるので、既存の道路照明灯を簡単に、しかも安価にＬＥＤ照明灯に変更することが可能になる。
そして、照明具を水銀灯等からＬＥＤ照明具に変更することによって、消費電力及び発熱を低減することができ、しかも、一度取り替えれば、水銀灯等に比べて長期間交換を行わなくてよくなるという効果を奏する。
【図面の簡単な説明】
【０００７】
【図１】従来の水銀灯式道路照明灯の照明部分の概略側面図である。
【図２】図１に示す道路照明灯に、水銀灯の代わりに本発明に係るＬＥＤ照明具を取り付けた状態を示す道路照明灯の照明部分の概略側面図である。
【図３】図２に示した道路照明灯の照明部分の概略底面図である。
【図４】本発明に係るＬＥＤ照明具１０の概略分解図である。
【図５】（ａ）は口金部材１１を開放端部側から見た図であり、（ｂ）は締め付け金具１３を示す図である。
【図６】（ａ）〜（ｄ）は本発明に係るＬＥＤ照明具の取り付け工程を示す図である。
【発明を実施するための形態】
【０００８】
以下、添付図面を参照して本発明に係る道路照明灯用口金分離型ＬＥＤ照明具（以下、単にＬＥＤ照明具と称する）の実施の形態について説明していく。
【０００９】
図１は従来の水銀灯式道路照明灯の照明部分の概略側面図を示している。
図２は図１に示す道路照明灯に、水銀灯の代わりに本発明に係るＬＥＤ照明具を取り付けた状態を示す道路照明灯の照明部分の概略側面図を、図３は図２に示した道路照明灯の照明部分の概略底面図を示している。
図１において、符号１は道路照明灯を示している。道路照明灯１は、例えば逆Ｌ字状のポール２（図１においては全体が示されていない）を有し、該ポール２の先端にランプソケット３及びランプカバー４を備えている。ランプカバー４の内部には不図示の反射板が設けられている。
図１においては、このように構成された道路照明灯１のランプソケット３には、水銀灯２０が取り付けられる。水銀灯２０はほぼ円筒形であるので、水銀灯２０本体を、それと一体に形成された口金と共に回転させてランプソケット３にねじ込むだけで道路照明灯１に取り付けることができる。
図２及び図３は、図１に示した道路照明灯１に本発明に係るＬＥＤ照明具を取り付けた状態を示している。
図中、符号１０は本発明に係るＬＥＤ照明具を示している。
図面に示すように、ＬＥＤ照明具１０は、水銀灯等と同等の照度及び照明範囲を得るために、そのＬＥＤ照明部材１１の形状は異形である。従って、この形状のために、ＬＥＤ照明具１０は水銀灯のようにＬＥＤ照明具１０を、その口金部材と共に回転させて道路照明灯１のランプソケット３にねじ込むことはできない。
そこで、本発明に係るＬＥＤ照明具は、図１に示すような水銀灯２０用に構成された道路照明灯１であっても、容易に取り付けることができるように構成されている。以下に、具体的にその構成を説明していく。
【００１０】
図４は、本発明に係るＬＥＤ照明具１０の概略分解図である。
図面に示すように、本発明に係るＬＥＤ照明具１０は、口金部材１１とＬＥＤ照明部材１２とから成る。
前記口金部材１１は、既存の道路用照明当のランプソケット３に取り付け可能なねじ部１１ａを有する有底筒状の形態である。
前記口金部材１１は、そのねじ部１１ａと底部１１ｂが、ランプソケット３に取り付けた時にランプソケットに設けられた端子と電気的に接続する端子として機能する。
口金部材１１は、端子として機能するねじ部１１ａ及び底部１１ｂに接続された第一コネクタ１１ｃを有する。
また、口金部材１１の開放端部は、後で締め付け金具１３で締め付けできるように軸線方向に４つのスリット１１ｄが形成され、四つの舌部１１ｅが形成されている（図５（ａ）及び（ｂ）参照）。
ＬＥＤ照明部材１２は、複数のＬＥＤ１２ａが取り付けられ、内部に電流駆動回路１２ｂが設けられたＬＥＤ照明本体部材１２ｃを有する。
前記ＬＥＤ１２ａは、具体的には例えば、５φの超高輝度砲弾型ＬＥＤであり、必要な数のＬＥＤが必要な照度を確保するために配列され得る。
前記電流駆動回路１２ｂには第二コネクタ１２ｄが接続されている。既存の道路照明灯は、使用する照明具（水銀灯、ナトリウム灯等）に応じて１００Ｖや２００Ｖの印加電圧が使用されているが、前記電流駆動回路１２ｂによりＬＥＤに供給される電流を定電流にして常の同一の輝度が確保できるように構成されている。
前記ＬＥＤ照明本体部材１２ｃには、連結部１２ｅが設けられている。この連結部１２ｅは、口金部材１１の開放端部から口金部材１１の内部にぴったり挿入できるような形状及び寸法に形成されている。
【００１１】
次に、上記したように構成されたＬＥＤ照明具の取り付け方について説明していく。
始めに、口金部材１１のみを道路照明灯１のランプソケット３に取り付ける（図６（ａ））。
次いで、口金部材１１の第一コネクタ１１ｃと、ＬＥＤ照明本体部材１２ｃの第二コネクタ１２ｄを接続する（図６（ｂ））。
そして、ＬＥＤ照明本体部材１２ｃの連結部１２ｅを、口金部材１１の開放端部から口金部材１１の内部に挿入する（図６（ｃ））。
最後に、締め付け金具１３で、口金部材１１にＬＥＤ照明本体部材１２ｃの連結部１２ｅを固定して取り付けは完了する（図６（ｄ））。
【００１２】
上記したように、本実施例によるＬＥＤ照明具によれば、道路照明灯１のランプソケット３に口金部材１１を取り付けた後に、口金部材１１にＬＥＤ照明本体部材１２ｃの連結部１２ｅを挿入して固定するので、取り付け時にＬＥＤ照明本体部材１２ｃを回転させる必要がない。
このため、ＬＥＤ照明本体部材１２ｃの形状を、必要な照度を確保するために任意の形状に設計することが可能になる。
【００１３】
尚、上記した実施例では、ＬＥＤ照明本体部材１２ｃを、口金部材１１に挿入した後に、締め付け金具１３で固定しているが、この構成は本実施例に限定されることなく、ＬＥＤ照明本体部材１２ｃを口金部材１１に挿入した後に固定できるように構成されていれば、任意の構成でよく、例えば、ナット等を用いて固定してもよい。
【符号の説明】
【００１４】
１  道路照明灯
２  ポール
３  ランプソケット
４  ランプカバー
１０  ＬＥＤ照明具
１１  口金部材
１１ａ  ねじ部（端子）
１１ｂ  底部（端子）
１１ｃ  第一コネクタ
１１ｄ  スリット
１１ｅ  舌部
１２  ＬＥＤ照明部材
１２ａ  ＬＥＤ
１２ｂ  電流駆動回路
１２ｃ  ＬＥＤ照明本体部材
１２ｄ  第二コネクタ
１２ｅ  連結部
１３  締め付け金具
２０  水銀灯
【図１】
2011009064.tif 000003
【図２】
2011009064.tif 000004
【図３】
2011009064.tif 000005
【図４】
2011009064.tif 000006
【図５】
2011009064.tif 000007
【図６】
2011009064.tif 000008